(57)【要約】【課題】有線ケーブルを使用せずに、水中にてルアー周辺の録画が可能であるルアーを提供する。【解決手段】ルアー（１Ａ）は、水中の画像を撮影するカメラ（２１）と、カメラ（２１）にて撮影した画像データを格納する録画部（２２）と、カメラ（２１）及び録画部（２２）を駆動する電池（２３）と、カメラ（２１）、録画部（２２）及び電池（２３）を収容し、耐水性を有して釣り糸（１０）に取り付けられるハウジング（１１）とを備える。カメラ（２１）、録画部（２２）及び電池（２３）は、ハウジング（１１）の外部と有線で接続されることなく駆動されるようになっている。【選択図】図１
2017046632.tif 000002
【特許請求の範囲】
【請求項１】
水中の画像を撮影するカメラと、
上記カメラにて撮影した画像データを格納する録画部と、
上記カメラ及び録画部を駆動する電源部と、
上記カメラ、録画部及び電源部を収容し、耐水性を有して釣り糸に取り付けられるハウジングとが備えられ、
上記カメラ、録画部及び電源部は、上記ハウジングの外部と有線で接続されることなく駆動されるようになっていることを特徴とするルアー。
【請求項２】
前記ハウジングには、該ハウジングの重量バランスを変化させる重量バランス調整機構が備えられていることを特徴とする請求項１記載のルアー。
【請求項３】
前記ハウジング内に収容されている収容部品の重量配分が前記カメラ側に偏在しており、
前記重量バランス調整機構は、上記収容部品の全て又は一部の位置を動かすことができる位置可動機構を備えていることを特徴とする請求項２記載のルアー。
【請求項４】
前記ハウジングの表面に回動部が設けられており、
前記位置可動機構は、上記回動部の回転量と前記収容部品の位置の移動量とが対応するようにしてなっていることを特徴とする請求項３記載のルアー。
【請求項５】
前記ハウジングの内部には、前記録画部に格納された画像データを無線通信によってハウジングの外部に送信する無線通信部が備えられていることを特徴とする請求項１〜４のいずれか１項に記載のルアー。
【発明の詳細な説明】
【技術分野】
【０００１】
本発明は、ルアーに関するものであり、詳細には、水中カメラを備えたルアーに関する。
【背景技術】
【０００２】
従来、魚を捕獲するために、ルアー等の仕掛けを用いた釣りが行われている。そのような仕掛けは、例えば釣竿から延びる釣り糸に取り付けられている。
【０００３】
釣りにおいて、仕掛けは水面又は水中に存在し、水中の魚を誘う。釣りを行う者は、目標の魚の種類や大きさに合わせて、仕掛けを選択し、操作する。その際、水中にいる魚の姿を目視することは難しい。このため、仕掛けの選択及び操作が適切に魚を誘っているかどうか等の仕掛け周辺の状況を確認したいという要求があった。そこで、水中カメラを用いた手段が提案されている。
【０００４】
例えば、特許文献１に開示された生物捕獲具１００は、図１０に示すように、水中で生物を捕獲する仕掛けとしての捕獲部１１０と、捕獲部１１０を操作する操作部１０１と、水中映像又は水中画像を撮影する水中カメラ１０２とを備えている。捕獲部１１０は、ハリス１１１と、ハリス１１１の先端部に結索された釣り針１１２とを備えている。これにより、水中カメラ１０２が捕獲部１１０又はその近傍を撮影することによって、水中の生物の情報把握を効果的に行うことができるようになっている。
【先行技術文献】
【特許文献】
【０００５】
【特許文献１】特開２００８−２１２０６０号公報（２００８年９月１８日公開）
【発明の概要】
【発明が解決しようとする課題】
【０００６】
しかしながら、従来の特許文献１に開示された生物捕獲具１００においては、水中カメラのデータ送信及び電力供給のためにデータ送信ケーブル１０３を備える必要がある。そのため、釣り糸とデータ送信ケーブル１０３とが一体となっている場合、市販されている釣り竿やリールが使用できない。
【０００７】
また、ハリス１１１とデータ送信ケーブル１０３との太さの違いに起因して、海流等の流れがある場所では、直径の太いデータ送信ケーブル１０３は流れに対する抵抗が大きい。このため、水中カメラ１０２を捕獲部１１０の周辺に配置することが難しいという問題点を有している。
【０００８】
さらに、魚が釣れた場合、仕掛けがデータ送信ケーブル１０３に絡んでしまう問題がある。
【０００９】
本発明は、上記従来の問題点に鑑みなされたものであって、その目的は、有線ケーブルを使用せずに、水中にてルアー周辺の録画が可能であるルアーを提供することにある。
【課題を解決するための手段】
【００１０】
本発明の一態様におけるルアーは、上記の課題を解決するために、水中の画像を撮影するカメラと、上記カメラにて撮影した画像データを格納する録画部と、上記カメラ及び録画部を駆動する電源部と、上記カメラ、録画部及び電源部を収容し、耐水性を有して釣り糸に取り付けられるハウジングとが備えられ、上記カメラ、録画部及び電源部は、上記ハウジングの外部と有線で接続されることなく駆動されるようになっていることを特徴としている。
【発明の効果】
【００１１】
本発明の一態様によれば、有線ケーブルを使用せずに、水中にてルアー周辺の録画が可能であるルアーを提供するという効果を奏する。
【図面の簡単な説明】
【００１２】
【図１】（ａ）は本発明の実施の形態１におけるルアーの構成を示す概略断面図であり、（ｂ）は上記ルアーの構成を示す底面図である。
【図２】（ａ）は上記ルアーにおけるスライドスイッチの構成を示す斜視図であり、（ｂ）はスライドスイッチの構成を示す要部断面図である。
【図３】（ａ）は上記ルアーにおける第２の重量バランス調節機構の構成を示す概略斜視図であり、（ｂ）は（ａ）のＡ−Ａ線矢視断面図である。
【図４】（ａ）は上記ルアーを接続した釣り糸が釣竿に装着された状態を示す側面図であり、（ｂ）は上記ルアーを使用して釣りを行っている状態を示す模式図である。
【図５】（ａ）は本発明の実施の形態２におけるルアーの構成を示す概略断面図であり、（ｂ）は上記ルアーの底面図である。
【図６】（ａ）は上記ルアーにおける回転式モード切替スイッチを示す側面図であり、（ｂ）は上記ルアーにおける回転式モード切替スイッチをデータ転送モードにして無線通信によるデータ授受を示す模式図である。
【図７】上記ルアーを使用して釣りを行っている状態を示す模式図である。
【図８】（ａ）は本発明の実施の形態３におけるルアーの構成を示す概略断面図であり、（ｂ）は上記ルアーの平面図である。
【図９】上記ルアーを使用して釣りを行っている状態を示す模式図である。
【図１０】従来の生物捕獲具の構成を示す側面図である。
【発明を実施するための形態】
【００１３】
〔実施形態１〕
本発明の一実施形態について図１〜４に基づいて説明すれば、以下のとおりである。
【００１４】
本実施の形態では、水面又は水深の浅いところにて用いられるトップウォータ型のルアーについて説明する。
【００１５】
尚、本実施の形態のルアーは、後述する他の実施形態のようにミドルウォータ型やボトムウォータ型のルアーとして用いることも可能である。ここで、ミドルウォータ型のルアーとは、水中に止まるように比重調整されたルアーであって、水面と水底の中間にて用いられ、一般的にサスペンドタイプと言われる類のものである。また、ボトムウォータ型のルアーとは、水よりも重い比重のルアーであり、水底にて用いられ、一般的にシンキングタイプと言われる類のものである。
【００１６】
本実施の形態のルアー１Ａの構成について、図１に基づいて説明する。図１の（ａ）は、本実施の形態１におけるルアー１Ａの構成を示す概略断面図であり、（ｂ）は、上記ルアー１Ａの構成を示す底面図である。
【００１７】
本実施の形態のルアー１Ａは、図１の（ａ）に示すように、釣り糸１０に取り付けられる筐体としてのハウジング１１と、ハウジング１１内部に収容された各種の収容部品２０と、ハウジング１１に装着された針１２とを備えている。
【００１８】
以下に、本実施の形態のルアー１Ａの主要部の構成について、順に説明する。
【００１９】
（ハウジング）
本実施の形態のルアー１Ａのハウジング１１は、内部に空洞を有する細長い略円柱形状であって、下部の一端が丸みを帯びており、上部の他端にかけて断面の径が徐々に小さくなるような形状となっている。ただし、ハウジング１１の形状はこれに限定されない。
【００２０】
ハウジング１１は、水中にてハウジング１１内部に水が入ることを防ぐことができるように、耐水性を有している。ハウジング１１は、例えばＪＩＳ防水保護等級８級の防水性能を有している。
【００２１】
ハウジング１１は、一体に形成されていてもよく、分割されてなっていてもよい。本実施の形態のハウジング１１は、下部ハウジング１１ａと上部ハウジング１１ｂとに分割されている。下部ハウジング１１ａは、ハウジング１１における丸みを帯びた端部側であって、下部ハウジング１１ａの内部には収容部品２０の一つとしてカメラ２１が格納されている。
【００２２】
下部ハウジング１１ａには、ハウジング１１外部の画像をカメラ２１が撮影するためのカメラ窓が少なくとも設けられている。或いは、下部ハウジング１１ａの全体が透明な材質で構成されていてもよい。透明な材質としては、例えば、プラスチックやガラスが挙げられる。
【００２３】
水中において、下部ハウジング１１ａ内のカメラ２１が魚等から見えるようになっていると、魚等はカメラ２１を警戒してルアー１Ａに誘引され難くなり得る。そこで、下部ハウジング１１ａは、多層ミラーコーティングされていることが好ましい。これにより、ハウジング１１外部からカメラ２１を視認し難くなる。そのため、魚等が警戒することを抑制し得る。また、多層ミラーコーティングによる光の反射によって、逆に魚等の食い付きを誘うことができ得る。
【００２４】
上部ハウジング１１ｂは、例えば、金型鋳造されたアルミニウムから成っている。尚、上部ハウジング１１ｂの材質はこれに限定されない。
【００２５】
上部ハウジング１１ｂの上端部には、釣り糸１０が接続されている。尚、釣り糸１０が接続される位置は、この位置に限定されるものではない。釣り糸１０は特殊なものである必要はなく、釣り糸１０にかかる負荷を考慮して市販の製品を選択し、用いることができる。
【００２６】
下部ハウジング１１ａと上部ハウジング１１ｂとは、互いに分離できるようになっていることが好ましい。これにより、ハウジング１１が開閉可能となる。ハウジング１１を開けることによって、内部の収容部品２０にアクセスすることができ、電池２３やＳＤカードからなる録画部２２等の部品の交換やメンテナンスを行うことができる。
【００２７】
下部ハウジング１１ａと上部ハウジング１１ｂとの接続部分は、防水性を有するようにシールされており、例えばラバーシール１３によってシールされている。尚、その他のパッキン等のシール材を用いてもよい。
【００２８】
（針）
針１２は、釣りに一般的に用いられる釣り針を使用することができる。針１２は、釣る対象の魚等の種類や大きさに合わせて、適宜選択することができる。
【００２９】
本実施の形態のルアー１Ａでは、針１２は、上部ハウジング１１ｂの胴体の２か所に１つずつ設けられている。針１２の位置や個数については、適宜選択することができる。
【００３０】
ハウジング１１に針１２が直接設置されている場合には、釣りにおいて魚等は、ハウジング１１ごと針１２を口の中に入れることになる。釣りをする者は、例えば魚等がハウジング１１を咥えた際に、釣竿をしゃくって針１２を魚等に引っ掛ける。この動作はフッキングと呼ばれる。
【００３１】
また、針１２は、ハウジング１１に直接設けられるのではなく、ハウジング１１に別の釣り糸をさらに接続し、その釣り糸に針１２が設けられていてもよい。その場合、針１２に餌をつけておき、魚等が針１２にかみついた際にフッキングをすればよい。このため、魚等のサイズが比較的小さく、ハウジング１１を口に入れることが難しいサイズであっても、釣りを行うことができる。
【００３２】
（収容部品）
収容部品２０は、ハウジング１１内の端部に設けられ外部の画像を撮影するカメラ２１と、カメラ２１にて撮影した画像データを格納する録画部２２と、カメラ２１及び録画部２２を駆動させる電力を供給する電池２３とを含んで構成されている。尚、以下では、「画像」という語は静止画と動画との両方を含む意味で用いる。
【００３３】
収容部品２０として、その他、電気回路や配線等の種々の部品が含まれる。上記電気回路は、例えばプリント基板２４であってもよいし、その他の回路構成であってもよい。このプリント基板２４又はその他の回路構成には、例えば、無線通信部が含まれる。
【００３４】
また、収容部品２０には、電池２３から供給される電力を、設定された電流及び電圧に制御するレギュレータ（図示せず）が含まれていてもよい。
【００３５】
（カメラ）
カメラ２１は、例えば１３メガピクセルの画素数を有するデジタルカメラである。カメラ２１は、魚眼レンズ２１ａを備えている。これにより、ハウジング１１外部の画像を水中にて高い解像度で撮影することができる。尚、カメラ２１の画素数については、撮影する画像の鮮明さと、録画部２２に格納するデータ容量とを考慮して、適宜選択すればよい。
【００３６】
カメラ２１にて撮影されたデータは、録画部２２へと送られ、保存される。
【００３７】
カメラ２１近傍には、図１の（ｂ）に示すように、ライト２１ｂが設けられている。ライト２１ｂは、例えばＬＥＤライトであって、カメラ２１が撮影する場所を照らすことができる。これにより、カメラ２１による撮影に用いられる、カメラ２１の魚眼レンズ２１ａに入射する光の量を増加させることができる。このため、時間帯や天候等のルアー１Ａの周囲の環境によらず、カメラ２１はハウジング１１の外部の画像を高い光量にて撮影することができる。
【００３８】
一方、本実施の形態のルアー１Ａはトップウォータ型のルアーであるため、太陽光が十分に存在する場合には、ライト２１ｂを用いなくともよい。そのため、ルアー１Ａにはライト２１ｂが設けられていなくてもよい。その場合、ライト２１ｂに電力を供給しなくてもよくなるため、電力消費量が抑制される。その結果、カメラ２１が連続して撮影可能な時間を増大させることができる。
【００３９】
尚、カメラ２１が備えるレンズは、魚眼レンズ２１ａに限定されることはなく、広角レンズ等の通常のレンズであってもよい。
【００４０】
（録画部）
録画部２２は、例えばマイクロＳＤカードからなっている。録画部２２は、他の規格のＳＤカードであってもよいし、ＵＳＢメモリであってもよく、その他の記録媒体であってもよい。
【００４１】
録画部２２は、カメラ２１にて撮影した画像を保存する。録画部２２は、撮影した画像をサイクリックに録画することができるようになっていることが好ましい。すなわち、一定時間毎に、周期的に録画することができるようになっていることが好ましい。
【００４２】
これにより、例えば３分を１クールとして動画を周期的に撮影し、録画部２２に保存することができる。この結果、魚が針にかかる瞬間を、いずれかの期間に撮影することが可能となる。したがって、魚が針にかかる瞬間を、確実に撮影することができる。
【００４３】
録画部２２は、ハウジング１１が開閉可能な構成である場合には、ハウジング１１を開けて取り出すことができるようになっていることが好ましい。これにより、録画部２２としての例えばマイクロＳＤカードを取り出し、他の電子機器にて画像データを読み出すことができる。このような電子機器としては、スマートフォン、タブレット、ビデオカメラ、パソコン等が用いられ得る。また、画像データの格納された録画部２２のみを持ち運ぶこともできる。
【００４４】
また、録画部２２は、ルアー１Ａから取り外すことなく、上記のような電子機器と、例えば無線通信によって通信できるようになっていてもよい。無線通信としては、例えば、Ｂｌｕｅｔｏｏｔｈ（登録商標）、赤外通信、無線ＬＡＮ及びその他の無線ネットワーク技術を用いることができる。この場合、録画部２２からの画像データの取り出しに際して、ハウジング１１を開ける必要が無い。そのため、非常に簡便に、撮影した画像データを確認することができる。
【００４５】
さらに、無線通信が可能である場合には、スマートフォン等のアプリと接続することによって、上述のような周期的に動画を撮影する際の１クールの時間を、例えば２分〜５分に設定することもできる。尚、これ以外の時間に設定することが可能であってもよいし、スマートフォン等のアプリによって、カメラ２１により撮影する画像の解像度等その他の設定を行うことも可能であってもよい。
【００４６】
（電池）
電池２３は、例えばボタン電池である。電池２３が設けられていることにより、カメラ２１及び録画部２２は、ハウジング１１の外部と有線で接続されることなく駆動されるようになっている。
【００４７】
電池２３は、充電池であることが好ましく、無接点充電式の充電池であることがさらに好ましい。無接点充電式の充電池であることにより、ハウジング１１を開けることなく充電を行うことができる。したがって、非常に簡便に充電を行うことができる。
【００４８】
（電源スイッチ）
カメラ２１及び無線通信のＯＮ／ＯＦＦの切り替えは、スイッチによって行うことができる。該スイッチは、種々の構成にて実現することができる。例えば、スライドスイッチ３０を用いることによって、スイッチ動作を行うことができる。
【００４９】
スライドスイッチ３０の構成について、図２の（ａ）（ｂ）に基づいて説明する。図２の（ａ）は、ルアー１Ａにおけるスライドスイッチ３０の構成を示す斜視図であり、図２の（ｂ）はスライドスイッチ３０の構成を示す要部断面図である。
【００５０】
スライドスイッチ３０は、図２の（ａ）（ｂ）に示すように、ハウジング１１の内部から防水性を保って突出した防水スイッチ駆動部３１と、ハウジング１１の長手方向に垂直な断面円周にわたってハウジング１１の一部に設けられた回転部３２とを備えている。
【００５１】
回転部３２の内側の一部には窪み３２ａが設けられている。窪み３２ａと防水スイッチ駆動部３１とは、互いに嵌合している。このため、回転部３２を回転させると、防水スイッチ駆動部３１がスライドする。したがって、回転部３２を回転させることにより、カメラ２１及び無線通信のＯＮ／ＯＦＦの切り替えを行うことができる。
【００５２】
尚、スイッチとしては、スライド式スイッチに限定されず、ハウジング１１の一部を押圧することによってスイッチングを行うプッシュ式のスイッチであってもよい。
【００５３】
或いは、下部ハウジング１１ａと上部ハウジング１１ｂとを互いに回動させることによってスイッチングを行う、回転式のスイッチであってもよい。この回転式のスイッチについては、実施の形態２において後述する。
【００５４】
（重量バランス調整機構）
ここで、上記のようなルアー１Ａを用いて釣りを行い、カメラ２１にて魚等を撮影するためには、カメラ２１が魚等の方向を向く必要が有る。そのため、水中におけるルアー１Ａの角度を変えることにより、カメラ２１が向く方向を変えることができるようになっていることが好ましい。そこで、本実施の形態のルアー１Ａは、浮力と重量バランスとを調整する重量バランス調整機構を備えている。
【００５５】
以下に、上記重量バランス調整機構の一例について詳細に説明する。重量バランス調整機構は、例えば以下のような第１の重量バランス調整機構、第２の重量バランス調整機構、又は第３の重量バランス調整機構を備えている。
【００５６】
［第１の重量バランス調整機構］
第１の重量バランス調整機構として、ルアー１Ａは少なくとも２つの空気室を備えていることが好ましい。上記少なくとも２つの空気室は、ハウジング１１の内部に設けられており、ハウジング１１の内部を長手方向に区画するようになっている。例えば、２つの空気室は、一方が下部ハウジング１１ａであり、他方が上部ハウジング１１ｂである。ただし、必ずしもこのような区画には限らない。すなわち、２つの浮力の基となる空気室つまり浮き袋があれば足りる。
【００５７】
上記少なくとも２つの空気室によって、水中においてルアー１Ａには浮力が生じる。この少なくとも２つの空気室のそれぞれの空気室の大きさと位置とを、ルアー１Ａの製造時に設計し変えることにより、ルアー１Ａの基本的なバランスを調整することができる。これにより、水中におけるハウジング１１及びカメラ２１の向きつまり傾きを調節することができる。この結果、カメラ２１が斜め下を向くことにより、魚が近づいてくる姿を撮影することができる。
【００５８】
［第２の重量バランス調整機構］
第２の重量バランス調整機構について、図３の（ａ）（ｂ）に基づいて説明する。図３の（ａ）は、ルアー１Ａにおける第２の重量バランス調節機構の構成を示す概略斜視図であり、図３の（ｂ）は図３の（ａ）のＡ−Ａ線矢視断面図である。
【００５９】
第２の重量バランス調整機構は、図３の（ａ）に示すように、ハウジング１１の表面に設けられた回転ダイヤル４０と、ハウジング１１内部に設けられた部品載置台４１とを備えている。
【００６０】
回転ダイヤル４０は、例えば下部ハウジング１１ａと上部ハウジング１１ｂとの間に形成されている。回転ダイヤル４０は、ハウジング１１の表面に設けられた回動部としてなっていてもよいし、ハウジング１１の表面に突出して形成されていてもよい。
【００６１】
回転ダイヤル４０の内側には、螺旋状に歯が形成されており、これらの歯によって螺旋溝４０ａが設けられている。螺旋溝４０ａは、ハウジング１１の内部の空間に露出している。回転ダイヤル４０はハウジング１１の内部に水が浸入しないように防水性を有して設けられている。
【００６２】
部品載置台４１には、ハウジング１１内に収容されている種々の部品が搭載されている。ここで、部品載置台４１上に搭載された部品の重量配分は、下部側、すなわちカメラ２１側に偏在するようになっている。これにより、ルアー１Ａの重心位置が下部側にあるようになる。このため、水中において、ルアー１Ａの下部が水深の深い方を向くようになる。
【００６３】
尚、部品載置台４１に搭載された各種の電子部品は、防水ケースの中に入っていることが好ましい。これにより、仮に、ハウジング１１内に水が入ったとしても、電子部品が故障することを抑制することができる。
【００６４】
部品載置台４１の側面には、ギア状の突起であるギア歯４１ａが形成されている。また、図３の（ｂ）に示すように、部品載置台４１の側面端部は、ハウジング１１内部に設けられたガイド溝４２に摺動可能に嵌まっている。
【００６５】
ここで、螺旋溝４０ａとギア歯４１ａとは、歯合するようになっている。そのため、回転ダイヤル４０を回転させることによって、部品載置台４１をハウジング１１の長手方向に直線的にスライドして移動させることが可能となっている。このとき、部品載置台４１が移動できる範囲は所定の範囲となっており、部品載置台４１がハウジング１１内に当たらないように設計すればよい。
【００６６】
回転ダイヤル４０の回転量と部品載置台４１に載置された部品の位置の移動量とは、対応するようになっていることが好ましい。回転ダイヤル４０を回転させることによって、容易に部品載置台を移動させ、内部の部品の位置を移動させることができる。
【００６７】
すなわち、第２の重量バランス調整機構は、部品載置台４１をスライドさせることができる位置可動機構である。
【００６８】
このような位置可動機構としての第２の重量バランス調整機構としては、回転ダイヤル４０ではなく、ハウジング１１側面にスライダーが設けられた構造であってもよい。その場合には、例えば、防水性を有して、ハウジング１１の長手方向にスライド可能にハウジング１１から突出したスライドバーを備えている。
【００６９】
上記スライドバーは、ハウジング１１内部で部品載置台４１と連結しており、上記スライドバーをスライドさせることにより、部品載置台４１がハウジング１１の長手方向にスライドすることができる。これにより、ルアー１Ａの重量バランスを調節することができる。
【００７０】
また、ハウジング１１内部にてスライドするものは、部品載置台４１ではなく重りであってもよい。上記位置可動機構によって上記重りをスライドさせることによって、ルアー１Ａの重量バランスを調節することができる。
【００７１】
［第３の重量バランス調整機構］
或いは、第３の重量バランス調整機構として、ハウジング１１の外部に重りがスライド可能に設けられていてもよい。この場合には、回転ダイヤル４０等を備える必要がないため、ハウジング１１の構造を簡単にすることができる。そのため、コストを安くできる。また、重量バランスを簡単に調節することもできる。
【００７２】
上記のようなルアー１Ａを用いて釣りを行う場合の状態について、図４の（ａ）（ｂ）に基づいて説明する。
【００７３】
図４の（ａ）は、上記ルアー１Ａを接続した釣り糸１０が釣竿５０に装着された状態を示す側面図であり、図４の（ｂ）は、上記ルアー１Ａを使用して釣りを行っている状態を示す模式図である。
【００７４】
本実施の形態のルアー１Ａは、図４の（ａ）に示すように、釣竿５０に装着されたリール５１から引き出された釣り糸１０の先端に結索されて用いることができる。ここで、釣竿５０、リール５１、及び釣り糸１０は、市販のものを用いればよく、特別なものを用いる必要はない。
【００７５】
釣りをする者は、必要に応じてその他の釣り具を適宜選択し、用いることができる。一般的に用いられるルアーを用いて釣りをするときと同じ要領にて、本実施の形態のルアー１Ａを用いて釣りを行うことができる。
【００７６】
ルアー１Ａは、通常の釣りを行う場合と同様に、遠投することが可能である。遠投した場合であっても、ルアー１Ａは、カメラ２１をハウジング１１の内部に備えているため、周辺の撮影をすることが容易である。
【００７７】
ルアー１Ａは、釣り糸１０に接続されているため、フッキングした魚等をたぐり寄せる際に、絡まることが生じ難い。
【００７８】
また、ルアー１Ａは、図４の（ｂ）に示すように、トップウォータ型のルアーとして水面付近で用いるようになっている。釣りをする者は、海岸や堤防や船の上で釣りをすることができる。また、海でなくても川や湖で釣りをすることもできる。
【００７９】
本実施の形態のルアー１Ａを用いることによって、ルアー１Ａに食い付いてくる若しくは誘引される魚等の様子、又はカメラ２１の撮影部の様子を動画で記録することができる。そして、釣りをする者はルアー１Ａを水中から引き上げて、記録した動画を手持ちのスマートフォン、タブレット、ビデオカメラ、パソコン等で映すことによりその場で見ることができる。
【００８０】
これにより、例えばルアー１Ａに魚等が食い付く瞬間を記録することができる。または、ルアー１Ａに魚が誘われているかどうか、あるいは釣りをしようとしている領域に魚等がいるかどうか、といった情報を得ることができる。釣りをする者は、魚等の種類とルアーや餌の種類との組み合わせによって変わる食いつきの様子を観察及び分析し、釣りの戦術を変え、釣果を向上させることができる。
【００８１】
また、本実施の形態のルアー１Ａには、送信データケーブルが存在しないので、遠投にも問題なく対応できる。さらに、魚が掛かった場合でも、従来のルアーを取り込む場合と同じ動作にてルアー１Ａを引き上げることができ、仕掛けと水中ビデオカメラとが絡むこともない。
【００８２】
尚、本実施の形態のルアー１Ａは、アルミニウムのハウジング１１を有しており金属光沢を有するものとなっているが、本実施の形態のルアーはこれに限らない。魚に似せた外観を有していてもよい。
【００８３】
〔実施形態２〕
本発明の他の実施形態について、図５〜７に基づいて説明すれば、以下のとおりである。尚、本実施の形態において説明すること以外の構成は、前記実施の形態１と同じである。また、説明の便宜上、前記実施の形態１の図面に示した部材と同一の機能を有する部材については、同一の符号を付し、その説明を省略する。
【００８４】
前記実施の形態１のルアー１Ａは、水面付近で用いられるトップウォータ型のルアーであった。これに対して、本実施の形態のルアー１Ｂは、水面と水底との間の水中にて用いられる図４の（ｂ）に示すミドルウォータ型のルアーである点が異なっている。
【００８５】
本実施の形態のルアー１Ｂの構成について、図５の（ａ）（ｂ）に基づいて説明する。図５の（ａ）は、本実施の形態におけるルアー１Ｂの構成を示す概略断面図であり、図５の（ｂ）はルアー１Ｂの底面図である。
【００８６】
本実施の形態のルアー１Ｂは、図５の（ａ）に示すように、前記実施の形態１のルアー１Ａと同様の部品から構成されているが、ハウジング６１の形状と、図７に示す針６５がハウジング６１から延びる釣り糸６０に設けられている点とが異なっている。
【００８７】
本実施の形態のルアー１Ｂにおけるハウジング６１は、内部に空洞を有する略三角錐形状になっており、頂点側が上部、底面側が下部となっている。すなわち、三角錐の頂点側が上部ハウジング６１ｂとなっており、釣竿側から延びる釣り糸１０が接続されている。三角錐の底面側が、下部ハウジング６１ａとなっている。
【００８８】
ハウジング６１は、水中にてハウジング６１内部に水が入ることを防ぐことができるように、耐水性を有している。ハウジング６１は、例えばＪＩＳ防水保護等級８級の防水性能を有している。
【００８９】
ルアー１Ｂは、下部ハウジング６１ａから釣り糸６０が延びており、その先に針６５が設けられている。針６５は、単なる釣り針であってもよいし、釣り針に餌がついていてもよいし、疑似餌に針がついたものでもよい。
【００９０】
カメラ２１の周囲には、図５（ｂ）に示すように、複数のライト６２が円環状に並んで設けられている。ライト６２は、例えばＬＥＤライトである。水中では、カメラ２１による撮影に十分な光量は基本的に得られないため、ライト６２によって、撮影場所を照らすことが好ましい。
【００９１】
ルアー１Ｂにおけるカメラ２１及び無線通信のＯＮ／ＯＦＦの切り替えは、実施形態１にて説明したことと同様にスライド式スイッチ等のスイッチによって行うことができる。該スイッチとしては、回転式のスイッチを用いることもできる。
【００９２】
ここで、回転式のスイッチである回転式モード切替スイッチ６３について、図６の（ａ）（ｂ）に基づいて説明する。図６の（ａ）は上記ルアーにおける回転式モード切替スイッチ６３を示す側面図であり、図６の（ｂ）は上記ルアーにおける回転式モード切替スイッチ６３をデータ転送モードにして無線通信によるデータ授受を示す模式図である。
【００９３】
回転式のスイッチとして、下部ハウジング６１ａと上部ハウジング６１ｂとは、図６の（ａ）に示すように、互いに回動可能となっている。該回動によって、回転式モード切替スイッチ６３がスイッチングされるようになっている。これにより、電源のＯＮモード、電源のＯＦＦモード及び無線通信部による画像データのデータ転送モードを切り替え可能となっている。
【００９４】
上記データ転送モードを切り替えることによって、ルアー１Ｂが撮影し記録した画像を、無線通信によってスマートフォン等の外部機器６４に転送することができる。それにより、釣りをする者は撮影した画像データを簡便に見ることができる。
【００９５】
また、スマートフォン等の外部機器６４と通信をすることによって、外部機器６４の方にてルアー１Ｂの設定を変更することもできる。
【００９６】
上記のようなルアー１Ｂを用いて釣りを行う場合の状態について、図７に基づいて説明する。図７は、ルアー１Ｂを使用して釣りを行っている状態を示す模式図である。
【００９７】
ルアー１Ｂは、図７に示すように、水中において、水深の深い方にカメラ２１が向くように斜めになっている。この斜めになっている角度は、重量バランス調整機構によって調節することができる。
【００９８】
カメラ２１にて撮影する方向には、ルアー１Ｂから延びる釣り糸６０と針６５とが設けられている。このとき、水中において、水の流れがある場合や、釣りをする者がリールを巻いた場合において、釣り糸１０とルアー１Ｂと釣り糸６０と針６５とは、略直線状になり得る。
【００９９】
そのため、針６５の存在する部分を常に撮影することが可能であり得る。ルアー１Ｂのカメラ２１の向きを適切に調節することにより、確実に針６５の周辺を撮影することができる。
【０１００】
〔実施形態３〕
本発明の他の実施形態について、図８及び図９に基づいて説明すれば、以下のとおりである。尚、本実施の形態において説明すること以外の構成は、前記実施の形態１及び実施の形態２と同じである。また、説明の便宜上、前記実施の形態１及び実施の形態２の図面に示した部材と同一の機能を有する部材については、同一の符号を付し、その説明を省略する。
【０１０１】
前記実施の形態２のルアー１Ｂは、ミドルウォータ型のルアーであった。これに対して、本実施の形態のルアー１Ｃは、水よりも重い比重になっており、水底にて用いられる図４の（ｂ）に示すボトムウォータ型のルアーである点が異なっている。
【０１０２】
本実施の形態のルアー１Ｃの構成について、図８の（ａ）（ｂ）に基づいて説明する。図８の（ａ）は本実施の形態におけるルアー１Ｃの構成を示す概略断面図であり、図８の（ｂ）はルアー１Ｃの平面図である。
【０１０３】
本実施の形態のルアー１Ｃは、図８（ａ）に示すように、前記実施の形態２のルアー１Ｂと同様の部品から構成されているが、ハウジング７１の形状が異なっている。
【０１０４】
ハウジング７１は、内部に空洞を有する饅頭型の形状になっており、底面側が下部、丸みを帯びた頭部側が上部となっている。そして、ハウジング７１は、上部ハウジング７１ａと、下部ハウジング７１ｂとからなっている。
【０１０５】
また、上部ハウジング７１ａ又は下部ハウジング７１ｂと結索された釣り糸７０の先端に針７２が備えられている。針７２は、単なる釣り針であってもよいし、釣り針に餌がついていてもよいし、疑似餌に針がついたものでもよい。
【０１０６】
ハウジング７１は、水中にてハウジング７１内部に水が入ることを防ぐことができるように、耐水性を有している。ハウジング７１は、例えばＪＩＳ防水保護等級８級の防水性能を有している。
【０１０７】
ルアー１Ｃは、ボトムウォータ型のルアーであるため、水中において、水底に沈み、下部ハウジング７１ｂが水底と接するようにして用いられる。その際、針７２は水流によって流されうる。そこで、ルアー１Ｃにおけるカメラ２１は、広角な視野を有するカメラであることが好ましい。これにより、水流によって流された針７２の周囲の画像を撮影することができる。
【０１０８】
ルアー１Ｃは、水中にて下部ハウジング７１ｂを下にして沈むことができるように、下部ハウジング７１ｂ側に重心が偏っている。
【０１０９】
カメラ２１の周囲には、ライト７３が設けられている。ライト７３は、例えば複数のＬＥＤライトであって、カメラ２１の周囲に円環状に並んで設けられている。これにより、ボトムウォータ型のルアーであるルアー１Ｃにおいて、ルアー１Ｃの周辺に光が無いとしても、ライト７３による明かりによって撮影をすることが可能となる。
【０１１０】
上記のようなルアー１Ｃを用いて釣りを行う場合の状態について、図９に基づいて説明する。図９は、ルアー１Ｃを使用して釣りを行っている状態を示す模式図である。
【０１１１】
ルアー１Ｃは、図９に示すように、水中において、下部ハウジング７１ｂが水底に接触し、上部ハウジング７１ａが水深の浅い方を向いている。そのため、水深の浅い方にカメラ２１が向いている。
【０１１２】
カメラ２１にて撮影する方向には、ルアー１Ｃから延びる釣り糸７０と針７２とが設けられている。釣り糸７０及び針７２は、水の流れがある場合には、ルアー１Ｃの上方において、斜めの方向にあるようになる。
【０１１３】
カメラ２１が広角に画像を撮影することによって、針７２と、針７２の周辺の魚等の様子を記録することができる。これにより、魚を釣る者は様々な情報を得ることができる。
【０１１４】
〔まとめ〕
本発明の態様１におけるルアー１Ａは、水中の画像を撮影するカメラ２１と、上記カメラ２１にて撮影した画像データを格納する録画部２２と、上記カメラ２１及び録画部２２を駆動する電源部（電池２３）と、上記カメラ２１、録画部２２及び電源部（電池２３）を収容し、耐水性を有して釣り糸１０に取り付けられるハウジング１１とが備えられ、上記カメラ２１、録画部２２及び電源部（電池２３）は、上記ハウジング１１の外部と有線で接続されることなく駆動されるようになっていることを特徴としている。
【０１１５】
上記の構成によれば、カメラ及び録画部は電源部によって駆動される。そして、カメラによって撮影された画像データは、録画部に記録される。このため、ハウジングの外部と有線ケーブルにて接続することなく、水中の画像を撮影し、撮影データを録画部に蓄積しておくことができる。この結果、撮影データを見る場合には、ルアーを水中から引き上げた後に、録画部に格納された録画部を取り出して撮影データを見ることができる。或いは、ルアー内に無線通信部を設けておき、ルアーを水中から引き上げた後に近距離無線通信にて通信により撮影データを見るか、又は遠距離無線通信にて水中から水上に撮影データを直接送って該撮影データを見ることが可能である。
【０１１６】
また、ハウジングは釣りに一般的に用いられる釣り糸に接続されている。このように、通常使用される釣り糸やその他の釣り具を用いて使用することができ、水中の画像を撮影することができるルアーを提供することができる。
【０１１７】
このルアーを用いて、魚等を釣る者は、ルアーに魚等が食い付く瞬間を記録することができる。或いは、ルアーに魚が誘われているかどうか、又は釣りをしようとしている領域に魚等がいるかどうか、といった情報を得ることができる。
【０１１８】
したがって、有線ケーブルを使用せずに、水中にてルアー周辺の録画が可能であるルアーを提供することができる。
【０１１９】
本発明の態様２におけるルアー１Ａは、態様１におけるルアー１Ａにおいて、前記ハウジング１１には、該ハウジング１１の重量バランスを変化させる重量バランス調整機構が備えられていることが好ましい。
【０１２０】
上記の構成によれば、ハウジングの重量バランスを調節することができる。これにより、水中におけるハウジングの向きを変えることができる。この結果カメラが魚等の方向を向くようにハウジングの向きを調節することができる。したがって、さらに精度の高い情報を得ることができる。
【０１２１】
本発明の態様３におけるルアー１Ａは、態様２におけるルアー１Ａにおいて、前記ハウジング１１内に収容されている収容部品２０の重量配分が前記カメラ２１側に偏在しており、前記重量バランス調整機構は、上記収容部品２０の全て又は一部の位置を動かすことができる位置可動機構を備えていることが好ましい。
【０１２２】
上記の構成によれば、収容部品の重量配分が前記カメラ側に偏在している。そのため、ハウジングは水中にて水深の深い方向を向くようになる。これにより、カメラが魚等の方向を向き易い。
【０１２３】
また、位置可動機構によって、ハウジング内の収容部品の全て又は一部の位置を動かすことができる。これにより、ハウジングの重量バランスが変化し、重心が移動する。この結果、水中において、ハウジングの角度が変化する。したがって、魚等がいる方向や、釣りをする者が撮影したい方向に合わせて、ハウジングの角度を調節することができる。
【０１２４】
本発明の態様４におけるルアー１Ａは、態様３におけるルアー１Ａにおいて、前記ハウジング１１の表面に回動部（回転ダイヤル４０）が設けられており、前記位置可動機構は、上記回動部（回転ダイヤル４０）の回転量と前記収容部品２０の位置の移動量とが対応するようにしてなっていることが好ましい。
【０１２５】
上記の構成によれば、回動部を回転させることによって、収容部品の位置が移動する。これにより、容易に重量バランスを調節することができる。
【０１２６】
本発明の態様５におけるルアー１Ａは、態様４におけるルアー１Ａにおいて、前記回動部は、前記ハウジング１１の表面に突出した回転ダイヤル４０からなっていてもよい。
【０１２７】
上記の構成によれば、回転ダイヤルがハウジングの表面に突出しているため、ユーザーは回転ダイヤルを容易に回転させることができる。これにより、重量バランスを容易に調整することができる。
【０１２８】
本発明の態様６におけるルアー１Ａは、態様２〜５におけるルアー１Ａにおいて、前記ハウジング１１の内部には、該ハウジング１１の内部を長手方向に区画する少なくとも２つの空気室が設けられており、前記重量バランス調整機構は、上記少なくとも２つの空気室の位置及び大きさを変更可能になっている。
【０１２９】
上記の構成によれば、ルアーを製造する段階において、空気室の位置及び大きさを変更することによって、ルアーの基本的な重量バランスを調節することができる。これにより、重量バランスをさらに大きく変更することができる。
【０１３０】
本発明の態様７におけるルアー１Ａは、態様１〜６におけるルアーにおいて、前記ハウジング１１の内部には、前記録画部２２に格納された画像データを無線通信によってハウジング１１の外部に送信する無線通信部（プリント基板２４）が備えられている。
【０１３１】
上記の構成によれば、録画部に記録されている画像データを、無線通信部によって外部に送信することができる。これにより、ハウジングを開閉することなく、画像データを取り出すことができる。したがって、ユーザーは、非常に簡便に、その場で画像データを確認することができる。
【０１３２】
本発明の態様８におけるルアー１Ａは、態様１〜７におけるルアーにおいて、前記録画部２２は、記憶媒体からなっており、前記ハウジング１１は、上記記憶媒体を取り出せるように開閉可能となっている。
【０１３３】
上記の構成によれば、ハウジングを開けることによって、記憶媒体を取り出すことができる。これにより、無線通信を行うことなく、画像データを取り出すことができる。そのため、ユーザーの使用する機器が無線通信に対応していなくても、ユーザーは記憶媒体を読み込むことによって、画像データを確認することができる。
【０１３４】
本発明の態様９におけるルアー１Ａは、態様１〜８におけるルアーにおいて、前記ハウジング１１は、下部ハウジング１１ａと上部ハウジング１１ｂとからなり、上記下部ハウジング１１ａと上部ハウジング１１ｂとは、互いに回動可能となっていると共に、該回動によってスイッチングされる回転式モード切替スイッチ６３を構成しており、上記回転式モード切替スイッチ６３は、電源のＯＮモード、電源のＯＦＦモード及び前記無線通信部（プリント基板２４）による前記画像データのデータ転送モードを切り替え可能となっていることが好ましい。
【０１３５】
上記の構成によれば、上部ハウジングと下部ハウジングとを互いに回動させることによって、電源及び無線通信のＯＮとＯＦＦとの切り替えを行うことができる。これにより、簡単に電源を切ることができる。また、無線通信部によるデータ転送モードへと簡単に切り替えることができる。
【０１３６】
本発明の態様１０におけるルアー１Ａは、態様１〜９におけるルアーにおいて、前記録画部２２は、前記カメラ２１から得られる画像を、一定時間毎に、周期的に録画するようになっていることが好ましい。
【０１３７】
上記の構成によれば、カメラから送られてくる画像データを、録画部は継続して記録することができる。この結果、時系列の画像を得ることができる。
【０１３８】
本発明の態様１１におけるルアー１Ａは、態様１〜１０におけるルアーにおいて、前記電源部（電池２３）は、無接点充電方式にて充電可能な充電池からなっていることが好ましい。
【０１３９】
上記の構成によれば、ハウジング内の電源部を交換することなく充電することができる。そのため、ハウジングを開ける必要が無い。また、簡便に充電することができる。
【０１４０】
本発明の態様１２におけるルアー１Ａは、態様１〜１１におけるルアーにおいて、前記電源部（電池２３）から供給される電力を、設定された電流及び電圧に制御するレギュレータを備えていることが好ましい。
【０１４１】
上記の構成によれば、電源部から供給される電流及び電圧を安定化させることができ、電源部によるカメラ及び録画部の駆動を安定化することができる。
【０１４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４３】
１Ａ〜１Ｃ    ルアー
１０            釣り糸
１１            ハウジング
１２            針（釣り針）
１３            ラバーシール
２０            収容部品
２１            カメラ
２１ａ          魚眼レンズ
２１ｂ          ライト
２２            録画部
２３            電池（電源部）
２４            プリント基板（無線通信部）
４０            回転ダイヤル（回動部）
【図１】
2017046632.tif 000003
【図２】
2017046632.tif 000004
【図３】
2017046632.tif 000005
【図４】
2017046632.tif 000006
【図５】
2017046632.tif 000007
【図６】
2017046632.tif 000008
【図７】
2017046632.tif 000009
【図８】
2017046632.tif 000010
【図９】
2017046632.tif 000011
【図１０】
2017046632.tif 000012